(57)【要約】      （修正有）【課題】 パーツの調整や交換が容易なガラス、鋼板などの保護粘着膜剥離装置を提供する。【解決手段】  膜剥離装置１は、テープ機器組１１を設置し、テープ機器組には一方に向けて徐々に幅を縮小する形状の基板１１１の先の縮小した側にテープ接着ホイール１１２を設け、その後方にテープ収容ホイール１１３、テープホイール１１４を配置する。テープ収容ホイールに巻回した粘着テープをテープ接着ホイールに巻回してテープホイールに巻取り、ガラス板などに粘着した保護粘着膜にテープ接着ホイールに巻回した粘着テープを押し当てて粘着させ、テープ収容ホイールとテープホイールを回転駆動して粘着テープと共に保護膜を巻き取って、剥離させる。【選択図】図１
0003125046.tif 000002
【実用新案登録請求の範囲】
【請求項１】
板体表面に粘着した離形膜を剥離する膜剥離装置において、
一方に突出した形状の基板の突出側にテープ接着ホイールを設けると共に反対方向に順番にテープ収容ホイール、テープホイールを配置してテープ機器組を構成し、
上記離形膜に粘着して剥離するテープをテープホイールからテープ接着ホイールを経てテープ収容ホイールに巻回して、テープ接着ホイールにおいてテープを離形膜に押し当てて粘着させるよう構成し、
該テープ収容ホイールと該テープホイールには巻戻し装置を設けたことを特徴とする膜剥離装置。
【請求項２】
前記テープ機器組は、さらに該テープ収容ホイールを回転する駆動装置を設け、該駆動装置には人力により操作するスイングアームを設けると共に該駆動装置にはラチェットギアを設けたことを特徴とする請求項１記載の膜剥離装置。
【請求項３】
前記膜剥離装置は、さらに該テープ機器組を覆う蓋体を設け、該蓋体上には該テープ機器組を監視する窓を設けたことを特徴とする請求項１記載の膜剥離装置。
【請求項４】
前記テープ機器組は、該基板上にテープを支持して、移送する複数のガイドローラーを設けたことを特徴とする請求項１記載の膜剥離装置。
【考案の詳細な説明】
【技術分野】
【０００１】
本考案は、一種の膜剥離装置に関する。特に、テープを自動的に巻き戻し可能な膜剥離装置で、パーツの調整や変動が不要で、即様々なサイズの板体に粘着する離形膜を剥離可能な膜剥離装置に係る。
【背景技術】
【０００２】
コンピュータ体積の縮小化、演算と画像処理の高速化、メモリの大容量化、伝送速度の高速化に従い、CRTモニタは淘汰され、デスクトップモニタ等の大型のディスプレーから携帯電話端末のディスプレーに至るまで、液晶パネルが広く採用されるようになっている。この液晶パネルが高輝度、低消費電力、高画質などの要求を達成するためのキーテクノロジーは偏光板の応用である。
生産の前工程を完成した後、偏光板の表面には一層の離形膜を粘着する。これにより製造、包装、運送に大量の人力と資金を投入している製造者は、偏光板表面の完成状態を保護し、衝突或いは積重ねによる傷を減少させ、しかも偏光板に完璧で傷のない表面を持たせようとしている。
このため偏光板に後工程の加工或いは処理を行おうとする時には、先ず表面の該離形膜を剥離する必要がある。しかも偏光板の加工時には、ほこりや雑物が表面に付着してはならないため、離形膜の剥離作業はクリーンルームで行われる。
一方、一般の大型ガラス素材或いはスチール板、アルミ板等の大型の板材の表面にも一層の離形膜を粘着して保護するため、膜剥離装置を用い、板材表面の離形膜を剥離する必要がある。
【０００３】
図９に示すように、公知の膜剥離装置はテープホイール組Aと水平移動が可能な膜剥離ホイールBを設置する。
該テープホイール組Aは、テープホイールA１とテープ収容ホイールA２を設置し、しかも該テープホイールA１と該テープ収容ホイールA２上方にはガイドホイールA３を設置する。該テープホイールA１にはテープA１１を巻回し、該テープA１１は該ガイドホイールA３、該膜剥離ホイールBを経由し、該テープ収容ホイールA２に至る。
該膜剥離装置の作動時には、先ず該膜剥離ホイールBを偏光板Cの前縁まで水平に移動させ、次いで該膜剥離ホイールBを下降させ、該テープA１１を該偏光板C上の離形膜C１に接着させる。こうして該テープA１１は、該離形膜C１に粘着後、該膜剥離ホイールBは元の位置まで再び上昇する。
この時、該テープ収容ホイールA２が作動して該テープA１１を巻き戻し、該膜剥離ホイールBの作動を連動し、同時に該テープA１１の粘着力により該離形膜C１は該偏光板C上から剥離され、該テープA１１に従い該テープ収容ホイールA２に回収される。こうして膜剥離動作を完成する。
【特許文献１】特開２００４−１４９２９３号公報
【考案の開示】
【考案が解決しようとする課題】
【０００４】
公知構造には以下の欠点があった。
すなわち、公知の膜剥離装置の使用時にテープの粘着力過多により、テープは膜剥離ホイールを離脱することがあり、使用上の不便を引起しており、さらに公知の膜剥離装置は、使用時にテープの使用状況を知ることができないため、テープを使い終わっても直ちに新しいテープに交換することが難しく、作業の進行を妨げている。また公知の膜剥離装置では、偏光板のサイズが変わると膜剥離装置中の各機械と部品の間隔距離を調整しなければならず、しかもテープが各機械及び部品上に巻回するため、調整が容易でなく時間がかかってしまう。加えて、公知の膜剥離装置では連続したテープを利用して偏光板の離形膜を除去するため、テープの使用量が非常に大きくコストの高騰を招いている。またテープの使用量が大きいため、テープをしばしば交換しなければならず、これによりほこりや粉塵が空気中に浮遊し易くなり、偏光板の歩留を低下させている。
本考案は、上記構造の問題点を解決した膜剥離装置を提供するものである。
【課題を解決するための手段】
【０００５】
上記課題を解決するため、本考案は下記の膜剥離装置を提供する。
テープ収容ホイールとテープホイールに巻戻し装置を設置し、これによりテープは粘着時に該テープホイールを離脱しにくくなり、しかもテープが粘着力過多により該テープホイールを離脱しても自動的に巻き戻され、テープが板体の離形膜に従い離脱して使用上の不便を招くことを防止し、
また蓋体によりテープ機器組を覆い、該蓋体には使用者がテープ機器組を監視可能なウィンドウを設置し、使用者は使用時にテープの使用状況を随時監視可能で、これによりテープが使い終わると直ちに新しいテープに交換することができ、
さらにテープ機器組の基板は片側が徐々に縮小し、該徐々に縮小する側にはテープ接着ホイールを設置し、しかも反対側は順番にテープ収容ホイール、テープホイールを設置し、該蓋体により該テープ機器組を覆い、パーツの調整や変動が不要で、即様々なサイズの板体に使用可能であるため、作業効率を効果的に向上させることができ、
加えてそれは、テープ機器組にテープ収容ホイールの作動を連動可能な駆動装置を設置し、該駆動装置はスイングアームを設置し、これにより膜剥離装置は機器を利用し該駆動装置の作動を連動可能で、また人手による方式で該駆動装置を連動することもできることを特徴とする膜剥離装置である。
【考案の効果】
【０００６】
上記のように、本考案の膜剥離装置は使用時にテープ収容ホイールとテープホイールに設置する巻戻し装置を利用し、テープの粘着時にテープ接着ホイールを離脱し易いという欠点を解消し、しかもテープがもしテープ接着ホイールを離脱しても自動的に巻き戻すことができるため、テープが板体の離形膜に従い離脱し使用に不便を来たすことはない。さらに本考案により使用者はウィンドウを通して、テープ機器組内に装置するテープの使用状況を随時観察可能であるため、テープを使い終わった時には直ちに新しいテープに交換することができる。また本考案は使用時に、機器を利用して駆動装置の作動を連動し、または人手によりスイングアームを動かして駆動装置を作動させ、駆動装置はテープ収容ホイールを連動することもできるため、膜剥離装置使用の利便性を向上させることができる。加えて本考案のテープ接着ホイール、テープ収容ホイール、テープホイールなどの構成部品は基板上に設置され、基板は作業プラットフォームに設置されるため、作業プラットフォームは直接膜剥離動作を進行することができ、膜剥離装置の使用時の利便性を向上させることができる。さらに、本考案の膜剥離装置はパーツの調整或いは変更を行うことなく、様々なサイズの板体に粘着する離形膜を剥離可能であるため、作業効率を向上させることができる。また本考案の膜剥離装置はテープの内の一部分だけで粘着物を離形膜上に付着させるだけで良いため、公知技術における多くの粘着物を使用し離形膜に付着させなければならなかった欠点を解決可能で、粘着物の使用量を効果的に節減可能である。しかも粘着物は剥離した離形膜に従い回収されしかも交換を必要としないため、ほこりや粉塵は発生せず、板体の表面を汚染する恐れもないため、板体の歩留を向上可能で、製造コストを効果的に低下させ、離形膜を迅速に剥離することができる。
【考案を実施するための最良の形態】
【０００７】
図１に示すように、本考案の膜剥離装置１にはテープ機器組１１を設置する。該テープ機器組１１には基板１１１を設置し、該基板１１１は片側に向かい徐々に縮小する。また、該徐々に縮小する側にはテープ接着ホイール１１２を設置し、反対側には順番にテープ収容ホイール１１３とテープホイール１１４を設置する。該テープ収容ホイール１１３と該テープホイール１１４は巻戻し装置を設置し、該基板１１１上には複数のガイドローラー１１５を設置し、該テープ機器組１１には該テープ収容ホイール１１３の作動を連動可能で、かつスイングアームを具えた駆動装置１１６を設置する。
【０００８】
上記のように該テープ接着ホイール１１２、該テープ収容ホイール１１３、該テープホイール１１４などの構成部品は該基板１１１上に設置され、該基板１１１は作業プラットフォーム上に設置されて、こうして作業プラットフォームは膜剥離動作を直接進行することができる。このため、該基板１１１は該テープ接着ホイール１１２、該テープ収容ホイール１１３、該テープホイール１１４などの構成部品を設置する機能だけを具えればそれで良いため、該構造は本考案の請求範囲に限定されるものではなく、他の修飾及び同等の効果を持つ構造の変化も本考案の請求範囲に含まれるものである。ここに特記する。
【０００９】
さらに図２、３、４に示すように、本考案の別種の最適実施例では、膜剥離装置１はテープ機器組１１と蓋体１２を設置する。
該テープ機器組１１には基板１１１を設置し、かつ該基板１１１は片側に向かい徐々に幅を縮小する。また、該徐々に縮小する側にはテープ接着ホイール１１２を設置し、反対方向には順番にテープ収容ホイール１１３とテープホイール１１４を設置する。該テープ収容ホイール１１３と該テープホイール１１４は巻戻し装置を設置し、該基板１１１上には複数のガイドローラー１１５を設置し、該テープ機器組１１には該テープ収容ホイール１１３の作動を連動可能で、かつスイングアームを具えた駆動装置１１６を設置する。該テープ機器組１１は該基板１１１両側においてそれぞれ連接部１１７と嵌合部１１８を具える。
該蓋体１２には該テープ機器組１１を監視可能なウィンドウ１２１を設置し、該蓋体１２は両側に結合部１２２と係合部１２３を設置する。
【００１０】
本考案の膜剥離装置１を組立てる際は、先ず該蓋体１２の結合部１２２を固定手段を用いて該テープ機器組１１の連接部１１７に固定し、該テープ接着ホイール１１２、該テープ収容ホイール１１３、該テープホイール１１４間にテープ１１９を巻回する。さらに、該蓋体１２を機器組に向けて覆い、その係合部１２３を該テープ機器組１１の嵌合部１１８に係合して、該蓋体１２を閉じる。
該膜剥離装置１の使用時には、該駆動装置１１６を操作し、または人手によりスイングアームを操作して該駆動装置１１６を作動させ、これに連動する該テープ収容ホイール１１３を回動する。この時、該テープ収容ホイール１１３の回転によって該テープ１１９を引き出し、さらに該テープホイール１１４とガイドローラー１１５を経て、該テープ接着ホイール１１２のテープ１１９はさらに新たな部位に粘着される。該駆動装置１１６はバネなどにより元の位置に復元するラチェット機構を具えており、これらの一定動作後、元の位置に戻り、次の回動操作の態勢に戻ることができる。
使用者は使用時に随時該ウィンドウ１２１を通して該テープ１１９の使用状況を監視可能で、これにより該テープ１１９を使い終わった時には直ちに新たなテープ１１９に交換可能である。
また該テープ１１９を板体６の離形膜１６に粘着する時には、該テープ収容ホイール１１３と該テープホイール１１４に設置された巻戻し装置は該テープ１１９に張力を付加し、該テープ１１９は該板体６の離形膜６１に従い繰り出される。こうして該テープ１１９は該板体６の離形膜６１に粘着されるが、粘着力が強過ぎて該テープ接着ホイール１１２を離れて引き出されてしまう時、該テープ収容ホイール１１３と該テープホイール１１４に設置された巻戻し装置により自動的に該テープ１１９が巻き戻され、該テープ１１９は該板体６の離形膜６１に応じた量で繰り出されるようになるため、使用上の不便の発生を防止することができる。
【００１１】
上記説明中の駆動装置１１６はラチェットギア装置或いはギア装置で、該テープ収容ホイール１１３の作動を連動するためだけに用いられ、しかも該駆動装置１１６にはスイングアームを設置し、使用者は人手により作動させることができる。他の修飾を利用及び同等効果の変化を加える場合にも、本考案の請求範囲に含まれる。ここに特記する。
上記説明中の固定手段は、螺接方式或いは嵌合方式で、同等効果の構造方式によりこの固定手段を用い、該蓋体１２の結合部１２２を該テープ機器組１１の連接部１１７に固定することができる。しかし、この部分は本考案の重点ではないため、本説明中では詳述しない。
【００１２】
また該蓋体１２は、該結合部１２２を利用し、さらにある固定手段を利用し該テープ機器組１１の連接部１１７に固定され、しかも該蓋体１２は作業機台の機械ベースに該テープ機器組１１を直接覆うこともできる。さらに該蓋体１２には該テープ機器組１１を監視可能なウィンドウ１２１を設置し、使用者は該ウィンドウ１２１を通して随時該テープ１１９の使用状況を監視可能である。さらに該蓋体１２をガラス、ディスプレー、或いはアクリルなどの透明或いは半透明材料により製造すれば、使用者は該蓋体１２を通して直接テープ１１９の使用状況を確認することができる。他に変形して利用及び同等効果の変化を加える場合にも、本考案の請求範囲に含まれる。ここに特記する。
上記説明中のテープ収容ホイール１１３とテープホイール１１４に設置する巻戻し装置は、サーボモーターとすることができ、これによっても粘着時に該テープ接着ホイール１１２から離脱し易いという該テープ１１９の欠点を払拭可能で、しかも該テープ１１９が離形膜６１に粘着し、粘着力過多により該テープ接着ホイール１１２を離脱してしまった時にも、自動的に該テープ１１９を巻き戻すことができる。よって張力を負荷することで該テープ１１９の緩みを防止可能とし、かつ該テープ１１９を自動的に巻き戻す機能を達成できれば良い。他の修飾を利用及び同等効果の変化を加える場合にも、本考案の請求範囲に含まれる。ここに特記する。
【００１３】
さらに図５、６、７に示すように、本考案の別種の最適実施例では、膜剥離装置１は使用時に、先ず真空吸引装置３の複数の真空吸引器３１が該板体６上に吸着し、さらに該板体６上に粘着する離形膜６１を移送装置２に向かわせる。次に該膜剥離装置１１を上昇させると、該テープ接着ホイール１１２のテープ１１９は粘着力により該板体６の離形膜６１上に粘着する。さらに該膜剥離装置１は下降移動し、こうして該板体６の離形膜６１は除去される。
続いて図５、６、７に示すように、該膜剥離装置１が該板体６の離形膜６１を除去する際、レバー４により該離形膜６１と該板体６間において水平方向の移動を行うが、該レバー４と該板体６表面間には相互に一定の間隔を開け、該レバー４が該板体６表面に接触して傷をつけることのないようにする。該レバー４の水平移動時には、該離形膜６１を該板体６の表面から徐々に剥離し、同時に静電除去器５により該レバー４後側にイオンを含む気流を吹き付け、これにより該離形膜６１を該板体６から剥離する際に発生する静電気を除去する。こうして該離形膜６１は該板体６から剥離される過程において、静電気により該板体６表面に再び吸着される事態は発生しない。
【００１４】
次に図８に示すように、本考案の別種の最適実施例では、該レバー４が水平方向に移動し、該離形膜６１を該板体６の表面から完全に剥離後は該離形膜６１は、該移送装置２の移送ベルト２１上に落下する。この時、該テープ１１９の粘着物も該離形膜６１に従い該移送ベルト２１上に落下し、これにより該移送ベルト２１により該離形膜６１と該粘着物３２は一緒に移送装置２片側に設置される回収位置２２に送られる。こうして該板体６表面の離形膜６１の剥離動作を完了する。
【００１５】
上記説明中のレバー４は、該離形膜６１と該板体６間において水平方向の移動を行い、該レバー４が水平方向の移動を行う時、該離形膜６１は該板体６の表面において徐々に剥離され、該静電除去器５はイオンを含む気流を吹き付け、該離形膜６１が該板体６から剥離された後に発生する静電気を除去することができる。他の修飾を利用及び同等効果の変化を加える場合にも、本考案の請求範囲に含まれる。ここに特記する。
さらに本考案で叙述する板体６は、使用者の必要と用途に応じてガラス、ディスプレー、アクリル、鉄板、銅板などの透明、半透明、不透明な材料で、しかもその表面の膜もまた離形膜、テープ、或いは保護膜とすることができ、こうして本考案の適用範囲と生産効率を上げることができる。
【図面の簡単な説明】
【００１６】
【図１】本考案最適実施例の立体外観図である。
【図２】本考案別種の最適実施例の立体外観図である。
【図３】本考案別種の最適実施例の別の角度からの立体外観図である。
【図４】本考案別種の最適実施例の立体分解図である。
【図５】本考案別種の最適実施例の実際の使用時の側面図である。
【図６】本考案別種の最適実施例の膜剥離動作前の側面図である。
【図７】本考案別種の最適実施例の膜剥離動作中の側面図である。
【図８】本考案別種の最適実施例の膜剥離動作後の側面図である。
【図９】公知の膜剥離装置の側面指示図である。
【符号の説明】
【００１７】
１  膜剥離装置
１１  テープ機器組
１１１  基板
１１２  テープ接着ホイール
１１３  テープ収容ホイール
１１４  テープホイール
１１５  ガイドローラー
１１６  駆動装置
１１７  連接部
１１８  嵌合部
１１９  テープ
１２  蓋体
１２１  ウィンドウ
１２２  結合部
１２３  係合部
２  移送装置
２１  移送ベルト
２２  回収位置
３  真空吸引装置
３１  真空吸引器
４  レバー
５  静電除去器
６  板体
６１  離形膜
A  テープホイール組
A１  テープホイール
A２  テープ収容ホイール
A１１  テープ
A３  ガイドホイール
B  膜剥離ホイール
C  偏光板
C１  離形膜
【図１】
0003125046.tif 000003
【図２】
0003125046.tif 000004
【図３】
0003125046.tif 000005
【図４】
0003125046.tif 000006
【図５】
0003125046.tif 000007
【図６】
0003125046.tif 000008
【図７】
0003125046.tif 000009
【図８】
0003125046.tif 000010
【図９】
0003125046.tif 000011